(57)【特許請求の範囲】
【請求項１】
受信した無線信号を復調してパケットを再生し、当該パケットに含まれる音声信号を復号化およびＤ／Ａ変換してアナログ音声信号を再生する無線機であって、
前記パケットのヘッダ部から送信先および送信元を識別する識別子に関する情報を取り出し、当該識別子に関する情報の内容を解析するコントローラを備え、
前記コントローラは、受信した無線信号についての前記識別子に関する情報と、外部から時刻に関する情報を入手可能な場合は、当該時刻に関する情報に基づいて作成された、無線信号を受信した時点の時刻に関する情報とを、履歴情報としてメモリに格納すると共に、
操作部から入力されたユーザの指示に従い、
前記メモリに前記無線信号を受信した時点の時刻に関する情報が格納されているときは、前記識別子に関する情報と前記無線信号を受信した時点の時刻に関する情報とを表示部の画面に表示し、
前記メモリに前記無線信号を受信した時点の時刻に関する情報が格納されていないときは、前記識別子に関する情報と前記無線信号を受信した時点からの経過時間を示す情報とを前記表示部の画面に表示することを特徴とする無線機。
【請求項２】
前記外部から入手可能な時刻に関する情報は、ＧＰＳレシーバの出力信号から取り出されることを特徴とする、請求項１に記載の無線機。
【請求項３】
前記識別子に関する情報と前記無線信号を受信した時点の時刻に関する情報は、不揮発性メモリに格納されることを特徴とする、請求項１または２に記載の無線機。
【請求項４】
コンピュータを、
Ａ／Ｄ変換され符号化された音声信号を含むパケットのヘッダ部から送信先および送信元を識別する識別子に関する情報を取り出し、当該識別子に関する情報の内容を解析するコントローラとして機能させるコンピュータプログラムであって、
前記コントローラは、受信した無線信号についての前記識別子に関する情報と、外部から時刻に関する情報を入手可能な場合は、当該時刻に関する情報に基づいて作成された、無線信号を受信した時点の時刻に関する情報とを、履歴情報としてメモリに格納すると共に、
操作部から入力されたユーザの指示に従い、
前記メモリに前記無線信号を受信した時点の時刻に関する情報が格納されているときは、前記識別子に関する情報と前記無線信号を受信した時点の時刻に関する情報とを表示部の画面に表示し、
前記メモリに無線信号を受信した時点の時刻に関する情報が格納されていないときは、前記識別子に関する情報と前記無線信号を受信した時点からの経過時間を示す情報とを前記表示部の画面に表示することを特徴とするコンピュータプログラム。
【発明の詳細な説明】
【技術分野】
【０００１】
本発明は、デジタル音声通信を採用した無線機、およびその無線機の機能を実現するコンピュータプログラムに関する
【背景技術】
【０００２】
近年、例えばアマチュア無線の世界において、より高速の通信を実現し、またクリアな音声での交信を楽しむために、音声通信のデジタル化とネットワーク化が普及しつつある。アマチュア無線のデジタル音声通信においては、音声信号は符号化されてデジタル信号に変換され、パケット化された後に送信される。
【０００３】
そして音声信号がパケット化され、かつパケットのヘッダ部に送信先、送信元のコールサイン等を示すデータが付加されたことに伴い、アナログ音声通信ではできなかった多くの機能を実現できるようになった（例えば、特許文献１参照）。
【０００４】
アマチュア無線のデジタル音声通信化に伴って実現された機能の１つに「受信履歴」がある（例えば、非特許文献１）。この機能により、過去に受信した無線信号について、無線信号を送信した局や呼び出された局のコールサインを確認できる。
【０００５】
更に、「受信履歴」によって無線機のユーザは、席を離れた時に受信した無線信号について送信元のコールサインを確認できるため、必要に応じて送信元の局と交信を行うことができる。
【先行技術文献】
【特許文献】
【０００６】
【特許文献１】特開２００６−１８６８１６号公報
【非特許文献】
【０００７】
【非特許文献１】アイコム株式会社製トランシーバーＩＤ−９２取扱説明書（９６ページ）
【発明の概要】
【発明が解決しようとする課題】
【０００８】
上述した従来の「受信履歴」には、無線信号を受信した時点の時刻に関する情報が含まれていなかったため、受信日時を確認したいユーザの要望に応えることができなかった。
【０００９】
一方、デジタル音声通信を採用した無線機は、ＧＰＳレシーバを接続することによって、無線機の位置に関する情報（緯度・経度）を入手することができる。そしてこの情報には、緯度および経度を測定した時点の時刻に関する情報（年/月/日/時刻）が含まれている。従って、無線機に、時刻情報を読み取るソフトウェアがインストールされたパソコンを接続すれば、時刻情報を含む「受信履歴」をパソコンの画面に表示できる。
【００１０】
しかし、無線機とパソコンを接続して使用することは不便であり、特に携帯型の無線機の場合には、パソコンを接続して使用すること自体が困難である。
【００１１】
本発明は上述の問題点に鑑みてなされたもので、パソコン等の外部機器を接続することなく、時刻情報を含む「受信履歴」を簡単に実現できる無線機を提供することを目的とする。
【課題を解決するための手段】
【００１２】
上記目的を達成するため本発明にかかる無線機は、受信した無線信号を復調してパケットを再生し、当該パケットに含まれる音声信号を復号化およびＤ／Ａ変換してアナログ音声信号を再生する無線機であって、
前記パケットのヘッダ部から送信先および送信元を識別する識別子に関する情報を取り出し、当該識別子に関する情報の内容を解析するコントローラを備え、
前記コントローラは、受信した無線信号についての前記識別子に関する情報と、外部から時刻に関する情報を入手可能な場合は、当該時刻に関する情報に基づいて作成された、無線信号を受信した時点の時刻に関する情報とを、履歴情報としてメモリに格納すると共に、
操作部から入力されたユーザの指示に従い、
前記メモリに前記無線信号を受信した時点の時刻に関する情報が格納されているときは、前記識別子に関する情報と前記無線信号を受信した時点の時刻に関する情報とを表示部の画面に表示し、
前記メモリに前記無線信号を受信した時点の時刻に関する情報が格納されていないときは、前記識別子に関する情報と前記無線信号を受信した時点からの経過時間を示す情報とを前記表示部の画面に表示することを特徴とする無線機。
【００１３】
ここで、前記外部から入手可能な時刻に関する情報は、ＧＰＳレシーバの出力信号から取り出されることが好ましい。また前記識別子に関する情報と前記無線信号を受信した時点の時刻に関する情報は、不揮発性メモリに格納されることが好ましい。
【００１４】
また本発明にかかるコンピュータプログラムは、コンピュータを、
Ａ／Ｄ変換され符号化された音声信号を含むパケットのヘッダ部から送信先および送信元を識別する識別子に関する情報を取り出し、当該識別子に関する情報の内容を解析するコントローラとして機能させるコンピュータプログラムであって、
前記コントローラは、受信した無線信号についての前記識別子に関する情報と、外部から時刻に関する情報を入手可能な場合は、当該時刻に関する情報に基づいて作成された、無線信号を受信した時点の時刻に関する情報とを、履歴情報としてメモリに格納すると共に、
操作部から入力されたユーザの指示に従い、
前記メモリに前記無線信号を受信した時点の時刻に関する情報が格納されているときは、前記識別子に関する情報と前記無線信号を受信した時点の時刻に関する情報とを表示部の画面に表示し、
前記メモリに無線信号を受信した時点の時刻に関する情報が格納されていないときは、前記識別子に関する情報と前記無線信号を受信した時点からの経過時間を示す情報とを前記表示部の画面に表示することを特徴とする。
【発明の効果】
【００１５】
本発明の無線機は「受信履歴」に時間に関する情報が含まれているため、画面に表示された「受信履歴」により、いつ頃受信した無線信号であるかを簡単に確認できる。
【００１６】
特に、ＧＰＳレシーバの出力から時刻情報が取り出せる場合には、年月日を含む時刻情報が「受信履歴」に含まれるため、正確な受信時刻を確認できる。
【００１７】
一方、無線機にＧＰＳレシーバが接続されていない場合、もしくは接続されていても、その出力から時刻情報を取り出せない場合には、無線信号を受信した時点からの経過時間が「受信履歴」に含まれ、この経過時間がコールサイン等と共に表示される。結果として、無線信号を受信してからどの程度経過したかを確認できるため、受信時刻を確認したいユーザの要望に十分応えることができる。
【図面の簡単な説明】
【００１８】
【図１】本発明の実施の形態にかかる無線機の構成を示すブロック図である。
【図２】無線機によって送信されるパケットの構成を示す図である。
【図３】「受信履歴」に含まれるデータの一例をテーブルとして示した図である。
【図４】表示部の画面に表示された「受信履歴」の例を示した図である。
【図５】「受信履歴」を作成する際の手順を説明するフローチャートである。
【発明を実施するための形態】
【００１９】
以下、本発明の実施の形態にかかる無線機について、図面を参照しながら説明する。
【００２０】
＜無線機の構成＞
図１に、デジタル音声通信を採用した本実施の形態にかかる無線機の構成を示す。無線機１は、マイク１１、スピーカ１２、ＡＦ増幅器１３、音声コーデック１４、送信部１５、送受切替部１６、アンテナ１７、受信部１８、インターフェース部１９、コントローラ２１、操作部２６および表示部２８で構成されている。図中、太線の矢印は音声信号やデータの流れを示し、細線の矢印は制御系統の信号の流れを示している
【００２１】
マイク１１は、送信用の音声を入力としてアナログ音声信号を生成し、その音声信号をＡＦ増幅器１３に出力する。一方、スピーカ１２は、ＡＦ増幅器１３から出力されたアナログ音声信号を音声に変換する。
【００２２】
ＡＦ（Audio Frequency）増幅器１３は、マイク１１から入力されたアナログ音声信号を増幅して音声コーデック１４に供給する。また、音声コーデック１４から供給された受信音声のアナログ音声信号を増幅してスピーカ１２に出力する。
【００２３】
音声コーデック１４は、ＡＦ増幅器１３から供給されたアナログ音声信号をＡ／Ｄ（アナログデジタル）変換および符号化して送信部１５に出力する。また音声コーデック１４は、受信部１８から供給されたデジタル音声信号を復号化し、更にＤ／Ａ（デジタルアナログ）変換した後、ＡＦ増幅器１３に出力する。
【００２４】
送信部１５は、音声コーデック１４から供給されたデジタル音声信号に無線通信用のヘッダを付すと共に、後述するＰＴＴスイッチ２７の出力に基づいて分割し、図３に示す送信用のパケットを生成する。送信部１５は更に、パケットを構成するデジタルデータで搬送波を変調し、必要に応じて周波数変換を行い、送受切替部１６を介してアンテナ１７から送信する。パケットの構成については、後に図２を用いて詳述する。
【００２５】
送受切替部１６は、ＰＴＴスイッチ２７が押されてオンになると送信部１５からの送信信号をアンテナ１７に導き、ＰＴＴスイッチ２７が放されてオフになるとアンテナ１７の受信信号を受信部１８に導く。
【００２６】
受信部１８は、コントローラ２１からの指示に従って受信周波数を切り替え、受信周波数に同調して増幅し、更に受信信号を復調してパケットを再生する。そして再生したパケットからヘッダ部を取り除き、音声データについては音声コーデック１４に供給し、その他のデータ（例えば、イーサネット［登録商標］に準拠したパケット）についてはインターフェース部１９に供給する。
【００２７】
インターフェース部１９は外部接続端子２０に接続され、ＧＰＳレシーバ２９等の外部機器から供給されるパケットを送信部１５に供給する。またインターフェース部１９は、受信部１８から供給されたパケットを、外部接続端子２０を介して外部機器（パソコン等）に供給する。
【００２８】
コントローラ２１は無線機１の動作を制御する。コントローラ２１は、ＣＰＵ（Central Processing Unit）２２、ＣＰＵ２２の動作を規定するプログラムを記憶したＲＯＭ（Read Only Memory）２３、ＣＰＵ２２のワークメモリとして機能するＲＡＭ（Random Access Memory）２４、および「受信履歴」のデータを格納する不揮発性メモリ２５を備えている。
【００２９】
操作部２６は、種々の入力やユーザの指示をコントローラ２１に伝達する。操作部２６にはＰＴＴ（Pres To Talk）スイッチ２７が含まれている。ＰＴＴスイッチ２７は、押す（オンにする）と送受切替部１６が送信側に切り替わってアンテナ１７から送信が行われ、放す（オフにする）と、送受切替部１６が受信側に切り替わって受信した音声信号の再生が行われる。
【００３０】
表示部２８は液晶ディスプレイ等で構成され、種々のデータを表示するのに用いられる。表示部２８の画面には、無線機１がアマチュア無線信号を受信したこと（呼び出しがあったこと）や、送信元（自局）や送信先(相手局)のコールサイン、ニックネーム等が表示される。
【００３１】
次に、図１の無線機１を用いたアマチュア無線システムについて簡単に説明する。このシステムにおいては、複数の無線機１をカバーするエリア毎にレピータが設置されており、隣接するレピータ間は、マイクロ波を使用して音声およびデータが多重化された状態で送信される。また複数のレピータで結ばれたサービスエリアをゾーンといい、複数のゾーンの間は、ゲートウェイを介してインターネットで結ばれている。
【００３２】
上述のアマチュア無線システムを用いれば、以下に示すような様々な形態の交信を実現できる。
（１）各エリア内での無線機１同士の直接の交信
（２）各エリア内での無線機１同士のレピータを介した交信
（３）同一ゾーン内の異なるエリアの無線機１同士のレピータを介した交信
（４）異なるゾーンの無線機１同士のゲートウェイとインターネットを介した交信
【００３３】
＜パケットの構成＞
次に、図２を参照して、送信部１５で生成されるパケットの構成を説明する。パケットの構成は、デジタル音声通信の一連のデータをどのような順番でどのようにまとめて送信するかを示したものである。
【００３４】
パケットＰａは、ヘッダ部Ｐｈとデータ部Ｐｄとで構成されている。ヘッダ部Ｐｈには、同期信号ｈ１、フラグｈ２、送り先レピータのコールサインｈ３、送り元レピータのコールサインｈ４、送信先コールサインｈ５、送信元コールサインｈ６が含まれる。
【００３５】
ヘッダ部Ｐｈのうち同期信号ｈ１は入力信号の同期をとり、またこれより信号であることを表す信号である。フラグｈ２は、レピータ経由通信、直接通信、レピータ制御信号等を表すデータであり、複数ビットのデータで構成されている。
【００３６】
送り先レピータのコールサインｈ３は、例えば送信先の無線機が属するエリア内のレピータのコールサイン、送り元レピータのコールサインｈ４は送信元の無線機が属しているレピータのコールサインである。また送信先コールサインｈ５は、送信する相手局の無線機のコールサイン、送信元コールサインｈ６は、自局の無線機のコールサインである。これらのコールサイン（ｈ３〜ｈ６）は、送信先および送信元の無線機、更には無線信号を中継するレピータを識別するための識別子としての役割を果たす。なお送信先コールサインｈ５については、不特定局を呼び出すＣＱとしてもよい。
【００３７】
データ部Ｐｄは、デジタル化された音声フレームｄ１と、小さな静止画やメモ等のデータを含むデータフレームｄ２が交互に配置され、最後にパケットの終わりを示す終話フレームｄ３が付加されている。
【００３８】
＜アマチュア無線の交信動作＞
次に、図１および図２を参照して、アマチュア無線の交信動作を説明する。以下、代表的なケースとして、任意のエリア内の無線機１ａの局が異なるエリア内の無線機１ｂの局を呼び出す場合について説明する。
【００３９】
ユーザは交信に先立ち、無線機１ａの操作部２６を操作して、交信に必要な情報、例えば送信元（自局）コールサインや送り元レピータのコールサインを、不揮発性メモリ２５に格納しておく。
【００４０】
最初に、ユーザは無線機１ａの操作部２６を操作し、送信先の無線機１ｂに予め割り当てられたコールサインおよび送り先レピータのコールサインを指定して、呼び出しを指示する。
【００４１】
操作部２６から入力された情報は、コントローラ２１によって送信部１５に通知され、コントローラ２１の指示に従って、送信部１５でパケットが生成される。図２に示したようにパケットＰａのヘッダ部Ｐｄには、送り先レピータのコールサインｈ３、送り元レピータのコールサインｈ４、送信先（相手局）である無線機１ｂのコールサインｈ５、および送信元（自局）である無線機１ａのコールサインｈ６の各情報が含まれる。
【００４２】
送信部１５で生成され無線信号に変換されたパケットは、送受切替部１６およびアンテナ１７を介して送信される。無線機１ａから送信されたパケットは、指定された経路にあるレピータによって中継され、無線機１ｂに到達する。
【００４３】
無線機１ｂで受信した無線信号は、アンテナ１７および送受切替部１６を介して受信部１８に供給され、受信部１８で復調されてパケットが再生される。更に、受信部１８で再生されたパケットからヘッダ部が取り除かれ、データ部の内容に応じて音声コーデック１４またはインターフェース部１９に供給される。
【００４４】
音声コーデック１４に供給された音声データは復号化され、さらにアナログの音声信号に変換されてＡＦ増幅器１３に供給される。ＡＦ増幅器１３で増幅された音声信号はスピーカ１２から出力され、送信元のユーザの声が再生される。
【００４５】
また受信部１８で再生されたパケットは、コントローラ２１に供給される。コントローラ２１のＣＰＵ２２は、ＥＣＣ（Error Check Code）チェックなどにより、受信したパケットが有効なパケットであるか否かを判別する。
【００４６】
ＣＰＵ２２は、有効と判別されたパケットのヘッダ部のデータをＲＡＭ２４に格納すると共に、ヘッダ部の情報を解析する。ＣＰＵ２２は、解析結果に基づいて、受信したパケットの送信先コールサインや送信元コールサインを表示部２８に表示する。
【００４７】
＜「受信履歴」に含まれるデータ＞
次に、図３を参照して、「受信履歴」に含まれるデータについて説明する。図３のテーブルＴａは「受信履歴」に含まれるデータの一例を示したものであり、これらのデータはコントローラ２１の不揮発性メモリ２５に格納される。一方、テーブルＴｂは、テーブルＴａの各「受信履歴」に対応したカウンタのカウント数と計時中フラグの一例を示したものであり、これらのデータはＲＡＭ２４に格納される。
【００４８】
テーブルＴａには３種類のデータＤ１〜Ｄ３が含まれている。データＤ１は受信の順番を示し、古い履歴ほど若い番号が付与されている。
【００４９】
データＤ２は、コールサインとメッセージである。前述の図２で説明したように、受信したパケットＰａのヘッダ部Ｐｈには、送り先レピータのコールサインｈ３、送り元レピータのコールサインｈ４、送信先コールサインｈ５、送信元コールサインｈ６が含まれている。これらのコールサインがデータＤ２に含まれる。またデータＤ２には、コールサイン以外に、パケットＰａのデータフレームｄ２内のメッセージが含まれる。
【００５０】
前述の非特許文献１に記載された「受信履歴」にはデータＤ１とＤ２の情報が含まれていたが、本発明の「受信履歴」には更に時刻情報のデータＤ３が含まれている。時刻情報は、例えば、テーブルＴａの１行目に示した「２０１０／６／１０  １５：１０」のように、年月日および時刻を含む情報である。
【００５１】
無線機１の外部接続端子２０（図１参照）にＧＰＳレシーバ２９が接続され、インターフェース部１９でＧＰＳセンテンスを含むパケットを受信している場合には、ＧＰＳセンテンスから時刻情報が読み出されて不揮発性メモリ２５に格納される。
【００５２】
ＧＰＳレシーバ２９から出力されるＧＰＳセンテンスには、緯度・経度に関する情報と共に、緯度・経度を測定した時点の時刻情報（年月日および時刻）が含まれている。コントローラ２１は、インターフェース部１９で受信したＧＰＳセンテンスのパケットからこれらの情報を取り出し、緯度・経度情報については、操作部２６に入力されたユーザの指示に従って表示部２８に表示し、時刻情報（年月日および時刻）については不揮発性メモリ２５に格納する。
【００５３】
一方、外部接続端子２０にＧＰＳレシーバ２９が接続されていない場合、もしくは接続されていてもインターフェース部１９がＧＰＳセンテンスを含むパケットを受信できない場合には、時刻情報を入手できないため、テーブルＴａの３行目および４行目に示すように、不揮発性メモリ２５に時刻情報がないことを示すデータが格納される。
【００５４】
本発明では、このような場合に、無線信号を受信部１８で受信した時点からの経過時間を計数し、テーブルＴｂに示すように「受信履歴」にその経過時間を加えるようにしている。
【００５５】
具体的には、コントローラ２１は、他局からの無線信号を受信した時点で、内蔵のカウンタの動作を開始する。そしてテーブルＴａのＤ３に「なし」のデータが含まれている場合には、テーブルＴｂのデータＤ５のフラグを、計時中であることを示す“１”に設定すると共に、データＤ４にカウンタのカウント数を格納する。本実施の形態では、カウンタは３秒ごとにカウントアップされるため、テーブルＴｂのデータＤ４の３行目のカウント値「６００」は、無線信号を受信してから３０分経過したことを示している。
【００５６】
上述したように、テーブルＴａのデータＤ３に年月日および時刻に関する情報が含まれている場合には、「受信履歴」にその情報が含まれる。これに対し、データＤ３に「なし」の情報が含まれている場合には、カウンタによって計数された受信時点からの経過時間を示す情報が「受信履歴」に含まれる。
【００５７】
なお、本実施の形態では、ＧＰＳレシーバ２９から時刻に関する情報を取り出したが、ＧＰＳレシーバ２９の代わりに電波時計を外部接続端子２０に接続し、その電波時計から時刻に関する情報を取り出すようにしてもよい。この場合、電波時計から出力されるパケットに時刻に関する情報を含める必要がある。
【００５８】
また、一旦ＧＰＳレシーバ２９から時刻に関する情報を取得した後、その情報と前述のカウンタのカウント動作とを組み合わせて、コントローラ２１内に擬似的なタイマーを生成し、無線信号を受信した時点の時刻を、このタイマーによって算出するようにしてもよい。
【００５９】
更に、カウンタにより経過時間を計数している最中に、外部接続端子２０にＧＰＳレシーバ２９が接続され、ＧＰＳセンテンスを含むパケットを受信可能となった場合には、ＧＰＳセンテンスに含まれる時刻から計数中のカウンタのカウント値、すなわち経過時間を逆算して無線信号を受信した時点の時刻を算出し、その時刻をテーブルＴａのデータＤ３として不揮発性メモリ２５に格納するようにしてもよい。
【００６０】
＜「受信履歴」の表示例＞
図４に、表示部２８の画面に表示された「受信履歴」の例を示す。図４（ａ）は、テーブルＴａのデータＤ３に時刻情報が含まれている場合の例であり、図４（ｂ）は、データＤ３に時刻情報が含まれていない場合の例である。
【００６１】
ユーザが「受信履歴」を見たい場合、操作部２６を操作して受信履歴の表示を指示すると、コントローラ２１は、不揮発性メモリ２５に格納されたテーブルＴａのデータおよびＲＡＭ２４に格納されたテーブルＴｂのデータを読み出して、表示部２９の画面に「受信履歴」を表示する。
【００６２】
図４（ａ）に示すように、テーブルＴａのデータＤ３に時刻情報が含まれている場合、１ページ目の画面Ｐ１にコールサインが表示され、２ページ目の画面Ｐ２に受信時刻が表示される。ユーザは操作部２６の操作により、矢印で示すように、表示部２８の画面をＰ１からＰ２へ、またＰ２からＰ１へ切り換えることができる。
【００６３】
画面Ｐ１において、上段の「ＲＸ  ＣＡＬＬ  ＳＩＧＮ」は「受信履歴」の表示であることを示している。また「ＣＡＬＬＥＲ」は送信元コールサイン、「ＣＡＬＬＥＤ」は送信先コールサイン、「ＲＸＲＰＴ１」は送り元レピータのコールサイン、「ＲＸＲＰＴ２」は送り先レピータのコールサインを示す。一方、画面Ｐ２において、「ＹＥＡＲ」は年、「ＤＡＴＥ」は日付、「ＴＩＭＥ」は時刻を示す。
【００６４】
図４（ｂ）に示すように、テーブルＴａのデータＤ３に時刻情報が含まれていない場合、１ページ目の画面Ｐ１の表示内容は変わらないが、２ページ目の画面Ｐ２に信号受信時点からの経過時間が表示される。画面Ｐ２において、「ＴＩＭＥ」の項に表示された（−０．３０）は、信号受信時点から３０分経過したことを示している。
【００６５】
このように、本実施の形態にかかる無線機１では、「受信履歴」に時間に関する情報が含まれているため、表示画面Ｐ２の内容により、いつ頃受信した無線信号であるかを簡単に確認できる。
【００６６】
特に、ＧＰＳレシーバ２９の出力から時刻情報を取り出せる場合には、表示画面Ｐ２に年月日を含む時刻情報が表示されるため、正確な受信時刻を確認できる。
【００６７】
更に、ＧＰＳレシーバが接続されていない場合、もしくは接続されていても、その出力から時刻情報を取り出せない場合には、表示画面Ｐ２に無線信号を受信した時点からの経過時間が表示される。結果として、無線信号を受信してからどの程度経過したかを簡単に確認できるため、受信時刻を確認したいユーザの要望に十分応えることができる。
【００６８】
なお、図４に示す表示形態は一例であり、これに限定されない。例えば、表示画面が小さい場合には、表示項目毎に画面に表示するようにしてもよい。
【００６９】
＜「受信履歴」作成の手順＞
次に、図５のフローチャートを参照して、「受信履歴」を作成する際の手順を説明する。
【００７０】
図５に示す処理の前段階として、受信部１８における受信信号の復調とパケットの再生を含む一連の処理を行う必要があるが、これらの処理については説明済みであるため省略する。
【００７１】
コントローラ２１は、受信部１８で再生されたパケットＰａのデータをＲＡＭ２４に格納すると共に（ステップＳ１１）、ヘッダ部Ｐｈの情報を解析する（ステップＳ１２）。
【００７２】
コントローラ２１は、ヘッダ部Ｐｈに含まれるコールサイン情報から、そのパケットが、ＲＡＭ２４に格納されている以前に受信したパケットと送信ルートが同じか否かを判定し、送信ルートが同じ場合（ステップＳ１３においてＹｅｓ）には、以前に受信したパケットに該当する履歴を廃棄（消去）した後（ステップＳ１４）、ステップＳ１５の処理に進む。一方、今回受信したパケットが以前に受信したパケットと送信ルートが異なる場合には（ステップＳ１３においてＮｏ）、そのままステップＳ１５の処理に進む。
【００７３】
ステップＳ１３の処理は、同一の相手局と繰り返し交信を行う場合を想定したものであり、このような場合には、「受信履歴」に最新の受信データのみが格納される。
【００７４】
次に、コントローラ２１は、時刻情報が存在するか否かを確認する（ステップＳ１５）。外部接続端子２０にＧＰＳレシーバ２９が接続されており、インターフェース部１９でＧＰＳセンテンスを含むパケットを受信し、コントローラ２１がＧＰＳセンテンスから時刻情報を取り出せる場合には（ステップＳ１６においてＹｅｓ）、ＧＰＳセンテンスから取り出された時刻情報を、コントローラ２１は、無線信号を受信した時点の時刻として、コールサインおよびメッセージと共に不揮発性メモリ２５に書き込む（ステップＳ１７）。
【００７５】
これに対し、外部接続端子２０にＧＰＳレシーバ２９が接続されていないか、接続されていても時刻情報を取り出せない場合には（ステップＳ１６においてＮｏ）、コントローラ２１は、コールサインおよびメッセージを不揮発性メモリ２５に書き込んだ後（ステップＳ１８）、ステップＳ１９の処理に進む。
【００７６】
コントローラ２１は、内蔵のカウンタの値をクリアすると共に計時中フラグに“１”をセットした後（ステップＳ１９）、カウント動作を実行する（ステップＳ２０）。
【００７７】
コントローラ２１は、カウント数が所定数を超えたか否かを判定し、所定数を超えない場合には（ステップＳ２１でＮｏ）カウントを継続し（ステップＳ２０）、所定数を超えた場合には（ステップＳ２１でＹｅｓ）、計時中フラグをクリアし（ステップＳ２２）、「受信履歴」の作成処理を終了する。
【００７８】
ステップＳ２１の処理を行う理由について説明する。カウント数が所定数を超えた場合に計時中フラグをクリアしないとカウントを継続することになる。しかし２日を超えるような時間、電源が連続してオンになっている場合には、経過時間を表示する意味が薄れ、またカウントできる範囲が有限であることから、カウンタを一旦リセットして電力の消費を押さえる。
【００７９】
以上説明したように本発明の無線機１においては、「受信履歴」に時間に関する情報が含まれているため、「受信履歴」の内容を表示部２８に表示することにより、いつ頃受信した無線信号であるかを確認できる。更に、外部から時刻情報を入手できない場合であっても、カウンタによりカウントされた、無線信号を受信した時点からの経過時間が画面に表示されるため、無線信号を受信してからどの程度経過したかを簡単に確認できる。
【００８０】
なお、上述した実施の形態では、無線機１の電源がオフの場合にデータが消滅しないように、テーブルＴａに含まれるデータを不揮発性メモリ２５に格納したが、バッテリでバックアップされたＲＡＭに格納するようにしてもよい。
【００８１】
また、上述した実施の形態のコントローラ２１の機能をコンピュータに実行させるためのプログラムを記録媒体（例えばＣＤ−ＲＯＭ）に記録して配布したり、ネットワークで配信したりしてもよい。このコンピュータプログラムは、コンピュータの記録媒体に記録されインストールされる。
【符号の説明】
【００８２】
１  無線機
１１  マイク
１２  スピーカ
１３  ＡＦ増幅器
１４  音声コーデック
１５  送信部
１６  送受切替部
１７  アンテナ
１８  受信部
１９  インターフェース部
２１  コントローラ
２２  ＣＰＵ
２３  ＲＯＭ
２４  ＲＡＭ
２５  不揮発性メモリ
２６  操作部
２７  ＰＴＴスイッチ
２８  表示部
Ｐａ  パケット
Ｐｈ  ヘッド部
Ｐｄ  データ部
Ｔａ、Ｔｂ  テーブル
Ｄ１〜Ｄ５  データ
【図１】
0005533427.tif 000002
【図２】
0005533427.tif 000003
【図３】
0005533427.tif 000004
【図４】
0005533427.tif 000005
【図５】
0005533427.tif 000006